(57)【要約】【課題】消費電力低減のため、超低周波数の動作クロックに切り換えた場合等でも、高速なリモコン送信データの受信と複数の異常信号の検出を確実に行う。【解決手段】全ての異常信号のチェックを行う間に、複数回リモコンデータの受信処理を行うことにより、高速なリモコン送信データの受信と、複数の異常信号の検出ができるとともに、ソフトウェアで対応することにより、コストアップを防止する。【選択図】図２
2007074186.tif 000002
【特許請求の範囲】
【請求項１】
リモコン信号を受信する受信手段と、リモコン信号を解読する解読手段と、異常状態を検出する異常検出手段とを備え、前記解読手段でのリモコン信号解読処理の合間に前記異常検出手段による異常検出処理を行うことを特徴とする多機能装置のリモコン制御方法。
【請求項２】
異常信号を検出する複数の異常検出手段を備え、リモコン信号解読処理を複数回行う間に前記異常検出手段により全ての異常検出処理を行うことを特徴とする請求項１に記載の多機能装置のリモコン制御方法。
【請求項３】
省電力モードに設定する省電力設定手段を備え、リモコン信号を受信するか、または、異常が検出されると、前記省電力設定手段により省電力モードから復帰させることを特徴とする請求項１〜２のいずれか１項に記載の多機能装置のリモコン制御方法。
【請求項４】
省電力モードがマイコンの動作クロックを信号を高周波数から低周波数に切換えた状態であることを特徴とする請求項３に記載の多機能装置のリモコン制御方法。
【請求項５】
前記多機能装置が空気調和機の室内ユニットであることを特徴とする請求項１〜４のいずれか１項に記載のリモコン制御方法。
【発明の詳細な説明】
【技術分野】
【０００１】
本発明は多機能装置のリモコン制御方法に関するものである。
【背景技術】
【０００２】
この種の多機能装置のリモコン制御方法は通常使用時と待機状態でマイコンの動作クロックを切り換えており、待機状態では動作クロックを低周波数に変更することで待機時のマイコンの低消費電力化を図っている。従来、リモコン受信割込み信号やスイッチ入力の割込み信号により、待機状態から復帰させていたが、外来ノイズをリモコン受信部が受信した場合、誤って待機モードから復帰してしまうという課題があり、リモコン受信部と省電力モードに設定する省電力設定部との間にフィルタ回路を追加し、待機中にはフィルタ回路を動作させ、外来ノイズによる誤動作を防止している（例えば、特許文献１参照）。
【０００３】
また、低周波数の動作クロックで動作している待機状態で、リモコン受信データの解読と、スイッチ等の入力の検出を行い、その結果にもとづいて待機復帰させているものもある（例えば、特許文献２参照）。
【０００４】
図３は、特許文献１に記載された従来の多機能装置のリモコン制御を示すものである。図３に示すように、リモコン受信部１と、リモコン解読部２と、信号検出等を行う本体制御部７と、省電力設定部６と、待機中に動作するフィルタ回路８とから構成されている。
【０００５】
図４は、特許文献２に記載された従来の多機能装置のリモコン制御を示すものである。図４に示すように、受信部１と、解読部２と、信号検出等を行う本体制御部７と、省電力設定部６と、待機中にリモコンコードを解読する待機時解読部９とから構成されている。
【特許文献１】特開２００１−２６８７８８号公報
【特許文献２】特開２００２−２０７５２９号公報
【発明の開示】
【発明が解決しようとする課題】
【０００６】
しかしながら、前記従来の構成では、フィルタ回路等のハードウェアの追加が必要なので、コストアップするという課題を有していた。また、低周波数の動作クロックで動作している待機状態で高速に送信されてくるリモコン受信データを解読する必要があるので、さらなる低消費電力化のため、動作クロックを超低周波数に切り換えられないという課題を有していた。
【０００７】
本発明は、前記従来の課題を解決するもので、外来ノイズによる誤動作防止をソフトウェアで対応することによりコストアップを防止し、超低周波数の動作クロックに切り換えることによりさらに消費電力に低減を図りながら、確実にリモコン受信データが受信できる多機能装置のリモコン制御方法を提供することを目的とする。
【課題を解決するための手段】
【０００８】
前記従来の課題を解決するために、本発明の多機能装置のリモコン制御方法は、リモコン信号を受信する受信部と、リモコン信号を解読する解読部と、異常状態を検出する異常検出部を設けたもので、リモコン解読部でのリモコン信号解読処理の合間に入力信号検出部による入力信号検出処理を行う。これによって、外来ノイズにより省電力モードから復帰するという誤動作を防止できるとともに、リモコン受信と異常検出の両方の処理が可能となる。
【０００９】
また、本発明の多機能装置のリモコン制御方法は、異常信号を検出する複数の異常検出部備え、リモコン信号解読処理を複数回行う間に異常検出部により全ての異常検出処理を行う。これによって、外来ノイズにより省電力モードから復帰するという誤動作を防止できるとともに、複数の異常信号の検出を行いながら、リモコン受信処理が可能となる。
【発明の効果】
【００１０】
本発明の多機能装置のリモコン制御方法は、外来ノイズによる誤動作防止をソフトウェアで対応することによりコストアップを防止し、超低周波数の動作クロックに切り換え、さらなる消費電力低減を図りながら、確実にリモコン受信データが受信できるとともに、複数の異常を検出できる。
【発明を実施するための最良の形態】
【００１１】
第１の発明はリモコン信号を受信する受信手段と、リモコン信号を解読する解読手段と、異常状態を検出する異常検出手段とを備え、前記解読手段でのリモコン信号解読処理の合間に前記異常検出手段により異常検出処理を行うことにより、一定間隔でリモコンデータ受信が確認でき、リモコン受信信号と外来ノイズとの区別が可能となるとともに、異常の検出が可能となる。
【００１２】
第２の発明は、第１の発明に異常信号を検出する複数の異常検出手段を備え、リモコン信号解読処理を複数回行う毎に、全ての異常信号の検出処理を行うことにより、一定間隔でリモコンデータ受信が確認でき、リモコン受信信号と外来ノイズとの区別が可能となるとともに、複数の異常信号の検出が可能となる。
【００１３】
第３の発明は、特に、第１〜２のいずれか１つの発明に省電力モードに設定する省電力設定手段を備え、リモコン信号を受信するか、または、異常が検出されると、前記省電力設定手段により省電力モードから復帰させることにより、外来ノイズにより省電力モードから復帰するという誤動作を防止できる。
【００１４】
第４の発明は、第３の発明の省電力モードがマイコンの動作クロックを信号を高周波数から低周波数に切換えた状態であり、動作クロックを低周波数にすることにより、待機時のマイコンの消費電力を低減できる。
【００１５】
第５の発明は、特に、第１〜４のいずれか１つの発明の多機能装置を空気調和機の室内ユニットに応用したものである。
【００１６】
以下、本発明の実施の形態について、図面を参照しながら説明する。なお、この実施の形態によって本発明が限定されるものではない。
【００１７】
（実施の形態１）
図１は、本発明の実施の形態における多機能装置のリモコン制御のブロック図を示すものである。図１において、リモコン信号を受信する受信部１と、受信部１で受信されたリモコン信号を解読する解読部２と、本体の第１の異常状態を判定する第１の異常判定部３と、本体第２の異常状態を判定する第２の異常判定部４と、第１の異常判定部３または第２の異常判定部４の異常信号を検出する異常信号検出部５と、省電力モードに設定する省電力設定部６と、本体制御を行う本体制御部７とで構成している。
【００１８】
以上のように構成された多機能装置のリモコン制御方法について、以下その動作を図２のフローチャートを用いて説明する。電源投入により、動作クロックは高周波数モードで動作する（Ｓ１）。待機モード判定条件が成立するまで、動作クロックは高周波数モードで動作し（Ｓ２）、待機モード判定条件が成立すると、省電力設定部６により、動作クロ
ックを高周波数から低周波数に切り換え（Ｓ３）、この後、動作クロックは低周波数モードで動作する。
【００１９】
動作クロック低周波数モードへ移行すると、解読部２でリモコン信号受信チェックを行い（Ｓ４）、リモコン信号が受信されれば、省電力設定部６により動作クロックを低周波数から高周波数に切り換え、待機モードから通常モードに戻る（Ｓ８）。リモコン信号が受信されなければ、異常信号検出部５で第１の異常判定部３の異常信号をチェックし（Ｓ５）、異常信号が入力されていれば、省電力設定部６により動作クロックを低周波数から高周波数に切り換え、待機モードから通常モードに戻り、本体制御部７により、異常表示等の処理を行う（Ｓ８）。
【００２０】
異常信号が入力されなければ、再度、解読部２でリモコン信号受信チェックを行い（Ｓ６）、リモコン信号が受信されれば、省電力設定部６により動作クロックを低周波数から高周波数に切り換え、待機モードから通常モードに戻る（Ｓ８）。リモコン信号が受信されなければ、異常信号検出部５で第２の異常判定部４の異常信号をチェックし（Ｓ７）、異常信号が入力されていれば、省電力設定部６により動作クロックを低周波数から高周波数に切り換え、待機モードから通常モードに戻り、本体制御部７により、異常表示等の処理を行う（Ｓ８）。異常信号が入力されなければ、Ｓ４へ戻り、再度リモコン信号のチェックを行う。
【００２１】
以上のように、本実施の形態においては、リモコン受信データは確実に受信するとともに、外来ノイズによる誤動作防止をソフトウェアで対応することができ、コストアップを防止することができる。また、高速なリモコン送信データの受信と、複数の異常信号の検出が必要な場合でも、全ての異常信号のチェックを行う間に、複数回リモコンデータの受信処理を行うことができ、超低周波数の動作クロックに切り換えても、高速なリモコン送信データの確実な受信と複数の入力信号の検出が可能となり、さらなる消費電力に低減を図ることができる。
【産業上の利用可能性】
【００２２】
以上のように、本発明にかかる多機能装置のリモコン制御方法は、外来ノイズによる誤動作防止をソフトウェアで対応することによりコストアップを防止し、超低周波数の動作クロックに切り換え、さらなる消費電力低減を図りながら、確実にリモコン受信データが受信できるとともに、複数の異常信号の検出が可能となるので、テレビ、ビデオ等のＡＶ機器や空気調和機等の家電機器等のリモコンで遠隔操作を行う電子機器の用途にも適用できる。
【図面の簡単な説明】
【００２３】
【図１】本発明の実施の形態における多機能装置のリモコン制御方法のブロック図
【図２】本発明の実施の形態における多機能装置のリモコン制御方法の動作を示すフローチャート
【図３】従来の多機能装置のリモコン制御のブロック図
【図４】従来の多機能装置のリモコン制御の他のブロック図
【符号の説明】
【００２４】
１  受信部
２  解読部
３  第１異常判定部
４  第２異常判定部
５  異常信号検出部
６  省電力設定部
７  本体制御部
８  フィルタ回路
９  待機時解読部
【図１】
2007074186.tif 000003
【図２】
2007074186.tif 000004
【図３】
2007074186.tif 000005
【図４】
2007074186.tif 000006